(57)【要約】【課題】本発明は、携帯電話機に着信があったとき電話機本体を手に持たなくてもＦＭ送信機とＦＭ受信機によりワンタッチで通話を可能にする微弱電波を利用したワイヤレス通信システムを提供する。【解決手段】ワイヤレス通信システムは、図１による構成とし、構造としては図２、図３に示す形状とする。  自動車の運転中にワイヤレス通信システムを使用する場合は、携帯電話機本体のスピーカ部分にＦＭ送信機を挟み込み、ＦＭ受信機は自動車に備え付けのＦＭラジオを利用することにより、道路交通法に抵触しないで安全に通話が可能となりハンズフリーヘッドセットのようにイヤホンのケーブルが運転の障害になる事も無く、車外の警報音も聞き取り易くなるなど安全性の面も考慮したワイヤレス通信システムとする。【選択図】図１
2006295862.tif 000002
【特許請求の範囲】
【請求項１】
携帯電話機本体に着信があったときに、ワンタッチでワイヤレス通信により通話を可能にするため携帯電話機本体のスピーカ部に取り付けるマイクと音声入力端子とマイク又は音声入力端子から入力された音声信号の増幅回路部とＦＭ電波として発射するための変調回路部と微弱電波を発射するＦＭ送信部と電源オンオフスイッチとＯＮ表示ＬＥＤと保護回路内臓のリチウムイオン電池部とリチウムイオン電池の残量が判別可能な表示部と充電用外部電源入力コネクタ部とを備えたＦＭ送信機と、ＦＭ送信機から発射された微弱電波を受信するＦＭ受信部と復調回路部と音声増幅回路部とスピーカと音量調整用ボリュームとイヤホン端子と一次電池部と電源オンオフスイッチとを備えたＦＭ受信機と、携帯電話機用ＡＣ充電器の出力及び車載充電アダプタの出力を３．５φのＤＣプラグに変換する変換コネクタからなることを特徴とするワイヤレス通信システム。
【請求項２】
自動車の運転中に携帯電話機に着信があったときは、電話機本体を手に持つ必要がなくワンタッチで通話を可能にする為、道路交通法に抵触しないで安全に通話が可能となる請求項１に記載のワイヤレス通信システム。
【請求項３】
自動車の運転中にワイヤレス通信システムを使用する場合は、携帯電話機本体のスピーカ部分にＦＭ送信機を挟み込み、ＦＭ受信機は自動車に備え付けのＦＭラジオを利用するためハンズフリーヘッドセットのようにイヤホンのケーブルが運転の障害になる事は無く、車外の警報音も聞き取り易くなる為安全性の面でも危険度が低くなる請求項１に記載のワイヤレス通信システム。
【請求項４】
一般家庭又は屋外に於いて携帯電話機に着信があったときは、ＦＭラジオ受信機があれば電話機本体を手に持つ必要がなくワンタッチで通話を可能にする為、両手が自由になり何かしながら通話ができ、携帯電話機を利用して複数人での会話も可能となり、簡易会議システムとしても利用できる請求項１に記載のワイヤレス通信システム。
【請求項５】
ＦＭ送信機の内臓バッテリとしてリチウムイオン電池を使用することにより、電池のメモリー効果に対する影響も少ない、バッテリとして効率も良く電池の外形も小型になり実用的で廉価な請求項１に記載のワイヤレス通信システム。
【請求項６】
充電用外部電源入力コネクタには、携帯電話機用ＡＣ充電器の出力及び車載充電アダプタの出力コネクタを３．５φのプラグに変換する変換コネクタを利用することにより、リチウムイオン電池を充電することが可能となる請求項１に記載のワイヤレス通信システム。
【発明の詳細な説明】
【技術分野】
【０００１】  本発明は、携帯電話機に着信があったとき電話機本体を手に持たなくてもＦＭ送信機とＥＭ受信機によりワンタッチで通話を可能にする微弱電波を利用したワイヤレス通信システムに関する。
【背景技術】
【０００２】  携帯電話機に着信があったとき通常は電話機本体を手に取り耳にあてがい通話を行うか、携帯電話機本体のイヤホンジャックを利用したハンズフリーヘッドセットのイヤホンとマイクにより通話を行う。
但し、自動車の運転中に携帯電話機に着信があったときは、電話機本体を手に持ち運転することは道路交通法により禁止されている為、法に抵触しないハンズフリーヘッドセットを利用し通話する手段が実用化されている。
【発明の開示】
【発明が解決しようとする課題】
【０００３】  自動車の運転中に携帯電話機に着信があったときは、電話機本体を手に持ち運転することは道路交通法により禁止されている為、法に抵触しないハンズフリーヘッドセットを利用し通話する手段が実用化されているが、常にイヤホンを身に付け携帯電話機本体を身近に置かなければならない為、運転操作上イヤホンのケーブルが煩わしい場合も有り障害となることもある。
また車外の警報音が聞き取りにくいなど安全性の面でも危険度が高くなるという欠点がある。
また、運転しながらハンズフリーヘッドセットのスイッチ操作を行うため、集中力又は注意力の低下にも繋がるという欠点がある。【０００４】  本発明は、以上のような欠点を解決し携帯電話機に着信があったとき電話機本体を手に持たなくてもＦＭ送信機とＦＭ受信機によりワンタッチで通話を可能にする微弱電波を利用したワイヤレス通信システムを提供することを目的とする。
【課題を解決するための手段】
【０００５】  上記目的を達成するために、本発明は運転中に携帯電話機本体に着信があったときに、ワンタッチでワイヤレス通信により通話を可能にするため携帯電話機本体のスピーカ部に取り付けるマイクと音声入力端子とマイク又は音声入力端子から入力された音声信号の増幅回路部とＦＭ電波として発射するための変調回路部と微弱電波を発射するＦＭ送信部と電源オンオフスイッチとＯＮ表示ＬＥＤと保護回路内臓のリチウムイオン電池部とリチウムイオン電池の残量が判別可能な表示部と充電用外部電源入力コネクタ部とを備えたＦＭ送信機と、ＦＭ送信機から発射された微弱電波を受信するＦＭ受信部と復調回路部と音声増幅回路部とスピーカと音量調整用ボリュームとイヤホン端子と一次電池部と電源オンオフスイッチとを備えたＦＭ受信機と、携帯電話機用ＡＣ充電器の出力及び車載充電アダプタの出力を３．５φのＤＣプラグに変換する変換コネクタとでワイヤレス通信システムを構成する。
また、ＦＭ送信機の内臓バッテリとしてリチウムイオン電池を使用することにより、電池のメモリー効果に対する影響の少ない、バッテリとして効率も良く電池の外形も小型になり実用的で廉価なワイヤレス通信システムを提供する。
【発明の効果】
【０００６】  上述したように本発明は、携帯電話機に着信があったとき電話機本体を手に持たなくてもＦＭ送信機とＦＭ受信機によりワンタッチで通話を可能にする微弱電波を利用したワイヤレス通信システムを開発した結果、下記に説明する効果が得られる。【０００７】  自動車の運転中に携帯電話機に着信があったときは、電話機本体を手に持つ必要がなくワンタッチで通話を可能にする為、道路交通法に抵触しないで安全に通話が可能になるという効果が得られる。【０００８】  自動車の運転中にワイヤレス通信システムを使用する場合は、携帯電話機本体のスピーカ部分にＦＭ送信機を挟み込むか、又は携帯電話機のイヤホンジャックとＦＭ送信機の音声入力端子を接続し、ＦＭ受信機は自動車に備え付けのＦＭラジオを利用するためハンズフリーヘッドセットのようにイヤホンのケーブルが運転の障害になる事は無く、車外の警報音も聞き取り易くなる為安全性の面でも危険度が低くなるという効果が得られる。【０００９】  自動車の運転中に携帯電話機に着信があったときは、電話機本体を手に持つ必要がなくワンタッチで通話を可能にする為、集中力又は注意力が低下すること無く安全に運転が継続できるという効果が得られる。【００１０】  一般家庭又は屋外に於いて携帯電話機に着信があったときは、ＦＭラジオ受信機があれば電話機本体を手に持つ必要がなくワンタッチで通話を可能にする為、両手が自由になり何かしながら通話ができるという効果が得られる。
また、携帯電話機を利用して複数人での会話も可能となる為、簡易会議システムとして利用できるという効果が得られる。【００１１】  保護回路を内蔵したリチウムイオン電池を使用する事により、過充電と過放電及び温度制御を行いリチウムイオン電池を保護する機能により、安全に利用でき且つ繰り返し充電が可能なため使い捨ての電池とは異なり環境面でも貢献できるという効果が得られる。【００１２】  充電用外部電源入力コネクタの入力は、携帯電話機用ＡＣ充電器の出力及び車載充電アダプタの出力を３．５φのＤＣプラグに変換する変換コネクタを利用しリチウムイオン電池を充電することが出来るため、日本国内だけでなく海外でも利用できるという効果が得られる。
【発明の実施するための最良の形態】
【００１３】  以下、本発明の実施の形態を図１〜図３に基づいて説明する。
図１は自動車の運転中にワイヤレス通信システムを使用する場合の一実施の形態を示すブロック図であり、１はＦＭ送信機と、２はＦＭ受信機と同等の自動車に備え付けのＦＭラジオ本体、１４変換コネクタとで構成される。
【００１４】  ＦＭ送信機１は、ワンタッチでワイヤレス通信により通話を可能にするため携帯電話機本体４のスピーカ部に取り付けるマイク５と音声入力端子３とマイク又は音声入力端子から入力された音声信号の増幅回路部６とＦＭ電波として発射するための変調回路部７と微弱電波を発射するＦＭ送信部８と電源オンオフスイッチ１０とＯＮ表示ＬＥＤ１１と保護回路内臓のリチウムイオン電池部９とリチウムイオン電池の残量が判別可能な表示部１２と充電用外部電源入力コネクタ部１３とで構成されている。
【００１５】  ＦＭ受信機２は、ＦＭ送信機１から発射された微弱電波を受信する自動車に備え付けのＦＭラジオ本体で構成されている。
【００１６】  携帯電話機用ＡＣ充電器の出力及び車載充電アダプタの出力コネクタを３．５φのＤＣプラグに変換する変換コネクタ１４で構成されている。
【００１７】  図１の構成において、ＦＭ送信機１は図２、図３に示す形態とし１筐体に収納される。
ＦＭ受信機２は自動車に備え付けのＦＭラジオ本体のため特に図示しない。
【００１８】  以下、上記構成の動作を説明する。
自動車の運転中にワイヤレス通信システムを使用する場合は、携帯電話機本体４のスピーカ部分にＦＭ送信機１を挟み込み、ＦＭ受信機２は自動車に備え付けのＦＭラジオ本体を利用する。
ＦＭ受信機２の受信周波数は、予めＦＭ送信機１の送信周波数に合わせて任意のチャンネルにセットする。
運転中に着信があったときは、ＦＭ送信機１の電源オンスイッチ１０をワンタッチし予めＦＭ送信機１の送信周波数に合わせておいたＦＭ受信機２のチャンネルを選択し携帯電話機本体４を通話状態にする。
携帯電話機本体４のスピーカ部に挟み込まれたＦＭ送信機１のマイク５より入力された音声信号は増幅回路部６にて増幅され、変調回路部７にてＦＭ電波として発射するための信号に変調される。
変調された信号はＦＭ送信部８より微弱電波として発射される。
発射された微弱電波は自動車に備え付けのＦＭ受信機２により受信され復調されて音声としてスピーカーより出力される。
スピーカーより出力された音声に対して応答した音声は携帯電話機本体４のマイクにより集音され通話が成立する。
ワイヤレス通信システムの充電は、携帯電話機用ＡＣ充電器の出力及び車載充電アダプタの出力を３．５φのＤＣプラグに変換する１４変換コネクタを充電用外部電源入力コネクタ部１３に接続し行う。
【００１９】  ＦＭ受信機２は、一般家庭又は屋外に於いて携帯電話機に着信があったときの外部スピーカとして利用するための物であり、ＦＭラジオ受信機があれば電話機本体を手に持つ必要がなくワンタッチで通話を可能にする為、両手が自由になり何かしながら通話ができ、また携帯電話機を利用して複数人での会話も可能となる為、簡易会議システムとして利用できる。
【図面の簡単な説明】
【００２０】
【図１】本発明の一実施の形態を示すブロック図である。
【図２】本発明の一実施の形態を示すＦＭ送信機の正面図である。
【図３】本発明の一実施の形態を示すＦＭ送信機の側面図である。
【図４】本発明のＦＭ受信機のブロック図である。
【図５】本発明のＦＭ受信機の正面図である。
【図６】本発明のＦＭ受信機の側面図である。
【符号の説明】
【００２１】１  ＦＭ送信機
２  ＦＭ受信機
３  音声入力端子
４  携帯電話機本体
５  マイク
６  増幅回路部
７  変調回路部
８  ＦＭ送信部
９  リチウムイオン電池部
１０  電源オンオフスイッチ
１１  ＯＮ表示ＬＥＤ
１２  表示部
１３  充電用外部電源入力コネクタ部
１４  変換コネクタ
１５  ＦＭ受信部
１６  復調回路部
１７  音声増幅回路部
１８  スピーカ
１９  音量調整用ボリューム
２０  イヤホン端子
２１  一次電池
２２  電源オンオフスイッチ
２３  ＦＭ送信機挟み込み用フック
【図１】
2006295862.tif 000003
【図２】
2006295862.tif 000004
【図３】
2006295862.tif 000005
【図４】
2006295862.tif 000006
【図５】
2006295862.tif 000007
【図６】
2006295862.tif 000008